(57)【要約】【課題】ＤＶＤ−Ｖｉｄｅｏ規格準拠の下でビデオフォーマットされたディスクの再生リストを直接編集できるようにする。【解決手段】ファイナライズ実行処理の開始を検知すると、編集画面を表示し、編集を行う場合は、ユーザの所望する再生順に再生されるようにタイトルの並べ替え、タイトルの削除、タイトルの複製などを行って、その後にファイナライズ処理を行うようにして、ビデオフォーマットされた光ディスク１００５において再生リスト編集を行うことにより、他のオーサリング機器を中継することなく、ユーザが望む再生制御を行うことができるようにする。【選択図】図１０
2008010031.tif 000002
【特許請求の範囲】
【請求項１】
動画像データを第１の動画像管理単位で管理して再生方法を決定する第１の動画像管理情報と、１以上の前記第１の動画像管理単位からなる第２の動画像管理単位で管理して再生方法を決定する第２の動画像管理情報とを生成して前記動画像データとともに記録媒体に記録する記録手段と、
前記第２の動画像管理単位で再生方法を決定して前記第２の動画像管理情報を編集する編集手段とを有し、
前記記録手段は、前記記録媒体における終端処理以前に前記第１の動画像管理情報を生成して前記記録媒体に記録し、前記記録媒体における終端処理時に前記編集手段によって編集された第２の動画像管理情報を前記記録媒体に記録することを特徴とする記録装置。
【請求項２】
前記編集手段は、前記動画像データを再生する順序の変更、前記動画像データの一部または全部の削除、または前記動画像データの一部または全部の複製のうち少なくとも１つの実行結果に従って前記第２の動画像管理情報を生成することを特徴とする請求項１に記載の記録装置。
【請求項３】
前記記録手段は、前記記録媒体に対するファイナライズ処理時に、前記第１の動画像管理単位または前記第２の動画像管理単位の再生順に各単位の代表画像を一覧表示するメニュー画面を作成することを特徴とする請求項１に記載の記録装置。
【請求項４】
前記記録手段によって作成されたメニュー画面を表示部に表示する表示手段と、
前記表示部に表示されたメニュー画面の代表画像を選択する選択手段と、
前記選択手段によって選択された代表画像に関連付けられた動画像管理単位から再生を開始する再生手段とを有することを特徴とする請求項３に記載の記録装置。
【請求項５】
前記表示手段は、前記第２の動画像管理単位の代表画像のみを前記表示部に一覧表示することを特徴とする請求項４に記載の記録装置。
【請求項６】
前記表示手段は、前記第１の動画像管理単位の代表画像を前記表示部に一覧表示する場合は、前記第２の動画像管理単位も認識可能に表示することを特徴とする請求項４に記載の記録装置。
【請求項７】
前記表示手段は、前記編集手段によって編集された結果を前記表示部にプレビュー表示することを特徴とする請求項４〜６の何れか１項に記載の記録装置。
【請求項８】
前記第２の動画像管理単位をユーザにより指定する単位指定手段を有することを特徴とする請求項１〜７の何れか１項に記載の記録装置。
【請求項９】
前記第１の動画像管理単位は、ＤＶＤ−Ｖｉｄｅｏ規格におけるチャプタであり、前記第２の動画像管理単位は、ＤＶＤ−Ｖｉｄｅｏ規格におけるタイトルであり、前記第１の動画像管理情報は、ＤＶＤ−Ｖｉｄｅｏ規格におけるＶＴＳＩであり、前記第２の動画像管理情報は、ＤＶＤ−Ｖｉｄｅｏ規格におけるＶＭＧＩであり、前記記録媒体における終端処理は、ＤＶＤにおけるファイナライズであることを特徴とする請求項１〜８の何れか１項に記載の記録装置。
【請求項１０】
動画像データを第１の動画像管理単位で管理して再生方法を決定する第１の動画像管理情報と、１以上の前記第１の動画像管理単位からなる第２の動画像管理単位で管理して再生方法を決定する第２の動画像管理情報とを生成して前記動画像データとともに記録媒体に記録する記録工程と、
前記第２の動画像管理単位で再生方法を決定して前記第２の動画像管理情報を編集する編集工程とを有し、
前記記録工程においては、前記記録媒体における終端処理以前に前記第１の動画像管理情報を生成して前記記録媒体に記録し、前記記録媒体における終端処理時に前記編集工程において編集された第２の動画像管理情報を前記記録媒体に記録することを特徴とする記録方法。
【請求項１１】
動画像データを第１の動画像管理単位で管理して再生方法を決定する第１の動画像管理情報と、１以上の前記第１の動画像管理単位からなる第２の動画像管理単位で管理して再生方法を決定する第２の動画像管理情報とを生成して前記動画像データとともに記録媒体に記録する記録工程と、
前記第２の動画像管理単位で再生方法を決定して前記第２の動画像管理情報を編集する編集工程とを有し、
前記記録工程においては、前記記録媒体における終端処理以前に前記第１の動画像管理情報を生成して前記記録媒体に記録し、前記記録媒体における終端処理時に前記編集工程において編集された第２の動画像管理情報を前記記録媒体に記録する記録方法をコンピュータに実行させることを特徴とするプログラム。
【請求項１２】
請求項１１に記載のプログラムを記憶したことを特徴とするコンピュータ読み取り可能な記憶媒体。
【発明の詳細な説明】
【技術分野】
【０００１】
本発明は記録装置、記録方法、プログラム及び記憶媒体に関し、特に、動画像が記録可能なデジタルビデオカメラ等に有効で、記録媒体に記録された動画像データを管理するために用いて好適な技術に関する。
【背景技術】
【０００２】
近年、ＤＶＤなどの大容量記録媒体を利用した製品（ＤＶＤレコーダーやＤＶＤビデオカメラなど）が普及している。ＤＶＤ規格の１つであるＤＶＤ−Ｖｉｄｅｏ規格は、映画やスポーツ、舞台演劇などの映像コンテンツの規格として採用されている。一方、ＤＶＤ−Ｖｉｄｅｏ規格は、家庭用ＤＶＤ記録機器の記録方法の１つとしても採用されており、一般に「ビデオモード」と称されている記録モードがこのＤＶＤ−Ｖｉｄｅｏ規格に該当する。また、「ＶＲモード」と称されるＤＶＤ−ＶＲ規格も存在する。
【０００３】
ＤＶＤ−Ｖｉｄｅｏ規格はオーサリングを前提としており、動画像コンテンツをＤＶＤに記録後の編集、ファイナライズを行った後の追記を行うことはできない。ただし、ＤＶＤ−ＲＷのような書き換え可能ディスクに関しては、ファイナライズを解除することによって動画像を追記することが可能となる。なお、ファイナライズとはディスクの終了処理のことを意味しており、Ｖｉｄｅｏモードにおいては、このファイナライズ処理を行うことにより、一般に普及しているＤＶＤプレイヤーと再生互換を確保することができる。つまり、このファイナライズ処理によりＤＶＤ−Ｖｉｄｅｏ規格に準拠したビデオディスクとなる。
【０００４】
ところで、ＤＶＤ−Ｖｉｄｅｏ規格では、動画像をタイトルとチャプタという単位に分けて、階層構造を形成している。例えば、ＤＶＤデジタルビデオカメラの場合、１回の録画開始から終了までの動画像データ（以下、動画クリップ）を一つのチャプタとして管理し、ある所定条件の下に複数のチャプタの集合をタイトルとして管理するようにしている。これによって、１つの記録媒体あたりの記録可能な動画クリップ数を増やしているものが一般的である。
【０００５】
なお、記録可能な最大動画クリップ数は、９９タイトル（ディスク１枚当たりの最大タイトル数）×９９チャプタ（１タイトル当たりの最大チャプタ数）である。タイトルを閉じる所定条件としては、動画クリップの撮影数が９９チャプタを超えた場合、画面アスペクト比を変更した場合、記録レートを変更した場合、ディスクがイジェクトされた場合などが挙げられる。また、同一の日付に記録された複数のチャプタを一つのタイトルとして管理する記録方法も知られている（例えば、特許文献１参照）。
【０００６】
一方、ＶＲモードは、動画像への自由なアクセス及び編集機能をサポートしており、ファイナライズ後もファイナライズを解除することなく動画像を追記することができる。しかし、ＶＲモードで記録した場合、ファイナライズ後でも完全な再生互換を得ることはできず、ＶＲモードに対応したＤＶＤプレイヤーでのみ再生が可能となっている。ＶＲモードでは、Ｖｉｄｅｏモードのようなタイトルとチャプタとの関係はなく、１枚のディスクに最大で９９９個の動画クリップが記録可能である。
【０００７】
【特許文献１】特開２００３−３０８６７５号公報
【発明の開示】
【発明が解決しようとする課題】
【０００８】
前述したように、ＤＶＤ−Ｖｉｄｅｏ規格は再生互換を重視しており、一度ディスク記録した映像は編集することができない。そのため、ＤＶＤビデオカメラにより、ビデオモードでディスクに記録した画像データを編集したい場合、一旦動画像データを外部のＰＣなどに転送した後にオーサリングを行い、オーサリング後のデータをＤＶＤに再度書き込む必要がある。このように、ビデオフォーマットされたディスクでは、例えば、記録された動画クリップの再生順序の変更や、撮影に失敗した動画クリップの削除という単純な編集作業を行うだけでもＰＣなどのオーサリング機器を中継する必要があった。このため、ユーザにとってストレスを招く要因の一つとなっていた。
【０００９】
本発明は前述の問題点に鑑み、ＤＶＤ−Ｖｉｄｅｏ規格準拠の下でビデオフォーマットされたディスクの再生リストを直接編集できるようにすることを目的としている。
【課題を解決するための手段】
【００１０】
本発明の記録装置は、動画像データを第１の動画像管理単位で管理して再生方法を決定する第１の動画像管理情報と、１以上の前記第１の動画像管理単位からなる第２の動画像管理単位で管理して再生方法を決定する第２の動画像管理情報とを生成して前記動画像データとともに記録媒体に記録する記録手段と、前記第２の動画像管理単位で再生方法を決定して前記第２の動画像管理情報を編集する編集手段とを有し、前記記録手段は、前記記録媒体における終端処理以前に前記第１の動画像管理情報を生成して前記記録媒体に記録し、前記記録媒体における終端処理時に前記編集手段によって編集された第２の動画像管理情報を前記記録媒体に記録することを特徴とする。
【００１１】
本発明の記録方法は、動画像データを第１の動画像管理単位で管理して再生方法を決定する第１の動画像管理情報と、１以上の前記第１の動画像管理単位からなる第２の動画像管理単位で管理して再生方法を決定する第２の動画像管理情報とを生成して前記動画像データとともに記録媒体に記録する記録工程と、前記第２の動画像管理単位で再生方法を決定して前記第２の動画像管理情報を編集する編集工程とを有し、前記記録工程においては、前記記録媒体における終端処理以前に前記第１の動画像管理情報を生成して前記記録媒体に記録し、前記記録媒体における終端処理時に前記編集工程において編集された第２の動画像管理情報を前記記録媒体に記録することを特徴とする。
【００１２】
本発明のプログラムは、動画像データを第１の動画像管理単位で管理して再生方法を決定する第１の動画像管理情報と、１以上の前記第１の動画像管理単位からなる第２の動画像管理単位で管理して再生方法を決定する第２の動画像管理情報とを生成して前記動画像データとともに記録媒体に記録する記録工程と、前記第２の動画像管理単位で再生方法を決定して前記第２の動画像管理情報を編集する編集工程とを有し、前記記録工程においては、前記記録媒体における終端処理以前に前記第１の動画像管理情報を生成して前記記録媒体に記録し、前記記録媒体における終端処理時に前記編集工程において編集された第２の動画像管理情報を前記記録媒体に記録する記録方法をコンピュータに実行させることを特徴とする。
【００１３】
本発明の記憶媒体は、前記のプログラムを記憶したことを特徴とする。
【発明の効果】
【００１４】
本発明によれば、記録媒体における終端処理時に編集された第２の動画像管理情報を前記記録媒体に記録するようにしたので、ＤＶＤ−Ｖｉｄｅｏ規格準拠の下でビデオフォーマットされたディスクにおいて再生リストの編集を直接行うことができる。これにより、他のオーサリング機器を中継することなく、ユーザが望む再生制御を行うことができる。
【発明を実施するための最良の形態】
【００１５】
（第１の実施形態）
以下、本発明の最良の形態を例示的に詳細に説明する。
図１は、ＤＶＤ−Ｖｉｄｅｏ規格のデータ構造の一例を示す図である。
光ディスク１０１には、ＶＭＧ（ビデオマネージャ）１１１とＶＴＳ（ビデオタイトルセット）＃１（１１２）〜ＶＴＳ＃ｎ（１１４）といった動画像データ再生に必要な情報が記録されている。
【００１６】
ＶＭＧ１１１は、ＶＭＧＩ（ビデオマネージャ情報）１２１、ＶＭＧＭ＿ＶＯＢＳ（ビデオマネージャメニュー用ビデオオブジェクトセット）１２２、ＶＭＧＩ＿ＢＵＰ（ビデオマネージャ情報バックアップ）１２３とから構成されている。ＶＭＧＩ１２１は、ＤＶＤ−Ｖｉｄｅｏ全体を制御する管理情報である。ＶＭＧＭ＿ＶＯＢＳ１２２は、タイトルメニュー画面を構成するためのコンテンツ情報である。ＶＭＧＩ＿ＢＵＰ１２３は、ＶＭＧＩ１２１の完全なコピーであり、バックアップ情報として利用される。
【００１７】
各ＶＴＳ１１２〜１１４（最終ＶＴＳ）は、ＶＴＳＩ（ビデオタイトルセット情報）１２４、ＶＴＳＭ＿ＶＯＢＳ（ビデオタイトルセットメニュー  ビデオオブジェクトセット）１２５、ＶＴＳＴＴ＿ＶＯＢＳ（ビデオタイトルセット  ビデオオブジェクトセット）１２６、ＶＴＳＩ＿ＢＵＰ（ビデオタイトルセット情報  バックアップ）１２７とから構成されている。
【００１８】
ＶＴＳＩ１２４は、各ＶＴＳ１１２〜１１４を制御する管理情報である。ＶＴＳＭ＿ＶＯＢＳ１２５は、各ＶＴＳ１１２〜１１４内の各種メニュー画面を構成するためのコンテンツ情報である。ＶＴＳＴＴ＿ＶＯＢＳ１２６は、タイトル再生のためのコンテンツであり、ＤＶＤレコーダーやＤＶＤデジタルビデオカメラによって記録された映像そのものである。ＶＴＳＩ＿ＢＵＰ１２７は、ＶＴＳＩ１２４の完全なコピーであり、バックアップ情報として利用される。
【００１９】
図２は、ＶＯＢＳ（ビデオオブジェクトセット）２０１の構造の一例を示す図である。図１のＶＭＧＭ＿ＶＯＢＳ１２２、ＶＴＳＭ＿ＶＯＢＳ１２５、ＶＴＳＴＴ＿ＶＯＢＳ１２６がこの構造を形成している。
図２に示すように、ＶＯＢＳ２０１は１つまたは複数のＶＯＢ（ビデオオブジェクト）２０２の集合である。ＶＯＢ２０２は、単体または複数のＣｅｌｌ（セル）２０３の集合であり、Ｃｅｌｌ２０３は１つまたは複数のＶＯＢＵ（ビデオオブジェクトユニット）２０４で構成されている。
【００２０】
ＶＯＢＵ２０４はパック構造を形成しており、常にＮＶ＿ＰＣＫ（ナビゲーションパック）２０５で始まる。１つのＶＯＢＵ２０４は、Ｃｅｌｌ２０３の最終のＶＯＢＵ２０４を除いて０．４秒から１．０秒の再生期間を持つ。また、Ｖ＿ＰＣＫ（ビデオパック）２０６は映像データを、Ａ＿ＰＣＫ（オーディオパック）２０７は音声データを、ＳＰ＿ＰＣＫ（サブピクチャパック）２０８は字幕などのサブピクチャデータをそれぞれ保持している。
【００２１】
図３は、ＶＭＧＩ１２１のデータ構造の一例を示す図である。
図３に示すように、ＶＭＧＩ１２１は、ＶＭＧＩ＿ＭＡＴ（ビデオマネージャ情報 管理テーブル）、ＴＴ＿ＳＲＰＴ（タイトル  サーチポインタテーブル）、ＶＭＧＭ＿ＰＧＣＩ＿ＵＴ（ビデオマネージャメニュー  ＰＧＣＩ  ユニットテーブル）、ＰＴＬ＿ＭＡＩＴ（パレンタル  管理情報テーブル）、ＶＴＳ＿ＡＴＲＴ（ビデオタイトルセット  属性情報テーブル）、ＴＸＴＤＴ＿ＭＧ（テキストデータ  マネージャ）、ＶＭＧＭ＿Ｃ＿ＡＤＴ（ビデオマネージャメニュー  セル  アドレステーブル）、ＶＭＧＭ＿ＶＯＢＵ＿ＡＤＭＡＰ（ビデオマネージャメニュー  ＶＯＢＵ  アドレステーブル）で構成されている。
【００２２】
ＴＴ＿ＳＲＰＴは、各ＶＴＳ１１２〜１１４への参照先を示している。具体的には、ビデオタイトルセットの先頭アドレスがＶＭＧ１１１の先頭アドレスからの相対アドレスとして、ＴＴ＿ＳＲＰ（タイトルサーチポインタ）に書き込まれる。したがって、ＴＴ＿ＳＲＰは、ＶＴＳの数だけ存在する。
【００２３】
ＶＭＧＭ＿ＰＧＣＩ＿ＵＴは、各言語のビデオマネージャメニュー（トップメニュー）を再生するＶＭＧＭ＿ＰＧＣＩ（ビデオマネージャメニュープログラムチェーン情報）に関する情報を記述するテーブルである。
【００２４】
ＶＭＧＭ＿ＬＵ（ビデオマネージャメニュー言語ユニット）は、ビデオマネージャメニュー（トップメニュー）作成のために用意された言語の数だけ存在する。なお、ＶＭＧＭ＿ＬＵ＿ＳＲＰ（ビデオマネージャメニュー  言語ユニット  サーチポインタ）は、ＶＭＧＭ＿ＬＵ（ビデオマネージャメニュー  言語ユニット）の参照先を示している。
【００２５】
ＶＭＧＭ＿ＬＵは、各ビデオマネージャメニュー（トップメニュー）を再生制御するためのＶＭＧＭ＿ＰＧＣＩ（ビデオマネージャメニュー  プログラムチェーン情報）とその参照先を示したＶＭＧＭ＿ＰＧＣＩ＿ＳＲＰ（ビデオマネージャメニュー  ＰＧＣＩ  サーチポインタ）とで構成されている。なお、ＶＭＧＭ＿ＰＧＣＩは各言語に複数個保持することも可能である。また、ＶＭＧＭ＿ＰＧＣＩ＿ＳＲＰ及びＶＭＧＭ＿ＰＧＣＩは必ずしも１対１の関係ではなく、複数のＶＭＧＭ＿ＰＧＣＩ＿ＳＲＰが１つのＶＭＧＭ＿ＰＧＣＩを指定してもよい。
【００２６】
図４は、ＶＴＳＩ１２４のデータ構造の一例を示す図である。
図４に示すように、ＶＴＳＩ１２４は、ＶＴＳＩ＿ＭＡＴ（ビデオタイトルセット情報管理テーブル）、ＶＴＳ＿ＰＴＴ＿ＳＲＰＴ（ビデオタイトルセット  ＰＴＴ  サーチポインタテーブル）、ＶＴＳ＿ＰＧＣＩＴ（ビデオタイトルセット  プログラムチェーン情報テーブル）、ＶＴＳＭ＿ＰＧＣＩ＿ＵＴ（ビデオタイトルセットメニュー  ＰＧＣＩ  ユニットテーブル）、ＶＴＳ＿ＴＭＡＰＴ（ビデオタイトルセットタイムマップテーブル）、ＶＴＳＭ＿Ｃ＿ＡＤＴ（ビデオタイトルセット  セル  アドレステーブル）、ＶＴＳＭ＿ＶＯＢＵ＿ＡＤＭＡＰ（ビデオタイトルセットメニュー  ビデオオブジェクトユニット  アドレスマップ）、ＶＴＳ＿Ｃ＿ＡＤＴ（ビデオタイトルセット  セル  アドレステーブル）、ＶＴＳ＿ＶＯＢＵ＿ＡＤＭＡＰ（ビデオタイトルセット  ビデオオブジェクトユニット  アドレスマップ）とで構成されている。
【００２７】
ＶＴＳ＿ＰＴＴ＿ＳＲＰＴは、タイトル毎（タイトルユニット：ＴＴＵ）に各チャプタへの参照先を示している。各チャプタの開始位置はＰＴＴ＿ＳＲＰ（ＰＴＴサーチポインタ）が保持しており、実際はプログラムチェーン番号と選択されたプログラムチェーン番号内のプログラム番号により特定される。また、ＴＴＵへの参照先はＴＴＵ＿ＳＲＰ（タイトルユニット  サーチポインタ）が保持している。
【００２８】
ＶＴＳ＿ＰＧＣＩＴは、各ビデオタイトルセットの再生制御を行うためのＶＴＳ＿ＰＧＣＩ（ビデオタイトルセットプログラムチェーン情報）に関する情報を記述するテーブルである。ＶＴＳ＿ＰＧＣＩ＿ＳＲＰ（ビデオタイトルセット  プログラムチェーン情報  サーチポインタ）は、ＶＴＳ＿ＰＧＣＩへの参照先を示している。なお、ＶＴＳ＿ＰＧＣＩ＿ＳＲＰ及びＶＴＳ＿ＰＧＣＩは必ずしも１対１の関係ではなく、複数のＶＴＳ＿ＰＧＣＩ＿ＳＲＰが１つのＶＴＳ＿ＰＧＣＩを指定してもよい。
【００２９】
図５は、サーチポインタによるタイトルとチャプタとの関係を示す図である。
前述でも説明したとおり、ＶＭＧＩ１２１内のＴＴ＿ＳＲＰ５０１が各ＶＴＳ１１２〜１１４の参照アドレスを保持している。各ＶＴＳ１１２〜１１４内のＶＴＳＩ１２４は、そのタイトル内のチャプタ５０３への参照アドレスであるＰＴＴ＿ＳＲＰ５０２を保持している。このように、ＤＶＤ−Ｖｉｄｅｏ規格では、ＶＭＧＩ１２１が全タイトルを管理し、ＶＴＳＩ１２４が同ＶＴＳ内に包括される全チャプタを管理している。
【００３０】
図６は、ＰＧＣＩ（プログラムチェーン情報）の構造の一例を示す図である。
ＰＧＣＩは、ＰＧＣ＿ＧＩ（プログラムチェーン一般情報）、ＰＧＣ＿ＣＭＤＴ（プログラムチェーン  コマンドテーブル）、ＰＧＣ＿ＰＧＭＡＰ（プログラムチェーン  プログラムマップ）、Ｃ＿ＰＢＩＴ（セル再生情報テーブル）、Ｃ＿ＰＯＳＩＴ（セル位置情報テーブル）とで構成されている。
【００３１】
なお、図３に示したＶＭＧＭ＿ＰＧＣＩや図４に示したＶＴＳ＿ＰＧＣＩはこの構造をとる。ＰＧＣ＿ＣＭＤＴは、ＰＧＣの再生前後または再生中に実行するコマンドを保持する。コマンドには、ＰＧＣ再生前に実行するプリコマンド（ＰＲＥ＿ＣＭＤ）、ＰＧＣ再生後に実行するポストコマンド（ＰＯＳＴ＿ＣＭＤ）、ＰＧＣ再生中（セルの再生終了直後）に実行するセルコマンド（Ｃ＿ＣＭＤ）がある。
【００３２】
ＰＧＣ＿ＰＧＭＡＰには、各プログラムの先頭のセル番号であるエントリセル番号（ＥＮ＿ＣＮ）が昇順に記述される。Ｃ＿ＰＢＩＴには、セルのカテゴリ情報、再生時間、セルの先頭ＶＯＢＵや最終ＶＯＢＵのアドレスなどが記述される。Ｃ＿ＰＯＳＩＴには、ＰＧＣに使われているセルのＶＯＢ＿ＩＤ番号とセルＩＤ番号とが記述される。
【００３３】
したがって、ＰＧＣ番号とＰＧ番号とが与えられれば、ＰＧＣ＿ＰＧＭＡＰからプログラムのＥＮ＿ＣＮを取得でき、さらにＣ＿ＰＯＳＩＴからＶＯＢ＿ＩＤ番号とセルＩＤ番号とを取得することによって、再生すべき箇所を特定することができる。
【００３４】
図７は、ＰＧＣ（プログラムチェーン）におけるＰＧＣＩ（プログラムチェーン情報）とＶＯＢＳ（ビデオオブジェクトセット）２０１との関係を示す図である。ＰＧＣＩはセルの再生順序を番号で指定しており、ＶＯＢＳ２０１は再生されるセルの実体である。
【００３５】
ここで、光ディスク１０１のファイナライズ前後の状態について説明する。前述したとおり、ＤＶＤ−Ｖｉｄｅｏ規格では、一般の再生機で再生するためにファイナライズと呼ばれる処理が必要となる。つまり、ファイナライズ前の状態（以下、中間状態）では、データを記録した記録機でのみ再生が可能であり、互換性のない光ディスク１０１となっている。
【００３６】
ＤＶＤ−Ｖｉｄｅｏ規格の記録方法には、インクリメンタルライト方式とリストリクテッドオーバーライト方式とが知られている。一般に、ＤＶＤ−Ｒのような追記型ディスクにおいてはインクリメンタルライト方式が用いられ、ＤＶＤ−ＲＷのような書換型ディスクにはリストリクテッドオーバーライト方式が用いられる。
【００３７】
図８は、インクリメンタルライト方式の記録の流れを示す図である。
光ディスク１０１をフォーマットすると図８（ａ）に示す状態になる。ＲＺｏｎｅ＃１はファイルシステム及びＶＭＧ１１１を記録するための予約領域として確保され、ＲＺｏｎｅ＃２はＶＴＳＩ１２４及びＴＭＰ＿ＶＭＧＩを記録するための予約領域として確保される。
【００３８】
また、ＲＺｏｎｅ＃２以降の領域を不可視領域（Ｉｎｖｉｓｉｂｌｅ  ＲＺｏｎｅ）と呼ぶ。ＲＺｏｎｅ＃１、ＲＺｏｎｅ＃２、Ｉｎｖｉｓｉｂｌｅ  ＲＺｏｎｅの開始アドレスは、それぞれＮＷＡ＃１、ＮＷＡ＃２、ＮＷＡ＃３（ＮＷＡ：Next Writable Address）と呼ばれる。そして、ＲＭＡ（Recording Management Area）という記録管理領域が管理している（図示しない）。
【００３９】
ＴＭＰ＿ＶＭＧＩとは、中間状態における全データを一時的に管理するものであり、ファイナライズ後に書き込まれるＶＭＧＩの代替管理情報である。ＴＭＰ＿ＶＭＧＩは新規ＶＴＳが作成されるたびに作成され、光ディスク１０１外周に最も近い位置に記録されたものだけが有効なＴＭＰ＿ＶＭＧＩとして参照される。
【００４０】
図８（ｂ）では、動画像データが記録された状態を示しており、ＶＴＳＴＴ＿ＶＯＢＳとして光ディスク１０１に記録される。タイトルが閉じられるとＶＴＳＩ１２４を作成し、先にバックアップ情報であるＶＴＳＩ＿ＢＵＰ１２７がＶＴＳＴＴ＿ＶＯＢＳ１２６の後に記録される。その後、ＲＺｏｎｅ＃２の領域にＶＴＳＩ１２４とＴＭＰ＿ＶＭＧＩとが記録されて、図８（ｃ）に示す状態となる。
【００４１】
そして、次のタイトルのＶＴＳＩ１２４を記録するための領域としてＲＺｏｎｅ＃３が確保され、ＮＷＡ＃２とＮＷＡ＃３との位置を更新し、図８（ｄ）に示す状態となる。以下、同様に残りのＶＴＳ１１３〜１１４が記録されていく。各ＶＴＳ１１２〜１１４の記録が終了し、ファイナライズの直前の状態が図８（ｅ）に示す状態である。
【００４２】
ファイナライズを実行すると、ＴＭＰ＿ＶＭＧＩの情報をもとにＶＭＧＩ１２１が作成され、ＶＭＧＩ＿ＢＵＰ１２３や必要ならばＶＭＧＭ＿ＶＯＢＳ１２２と合わせてＶＭＧ１１１として、ＲＺｏｎｅ＃１の領域にファイルシステムとともに記録される。そして、図８（ｆ）に示す状態となる。なお、ファイナライズ時には、リードインやリードアウトなどの物理層の情報も記録されるが、ここでは図示していない。
【００４３】
図９は、リストリクテッドオーバーライト方式の記録の流れを示す図である。リストリクテッドオーバーライト方式では、インクリメンタルライト方式とは違い、データ領域全体をＲＺｏｎｅとして扱っている。
まず、光ディスク１０１をフォーマットすると図９（ａ）に示す状態になる。ファイルシステムと、ＶＭＧ１１１の領域と、ＶＴＳ＃１（１１２）のＶＴＳＩ１２４用の領域とがパディングで埋められる。またＮＷＡは、未記録領域の開始位置に移動する。
【００４４】
図９（ｂ）では、動画像データが記録された状態を示しており、ＶＴＳＴＴ＿ＶＯＢＳ１２６として光ディスク１０１に記録される。タイトルが閉じられるとＶＴＳＩ１２４を作成し、先にバックアップ情報であるＶＴＳＩ＿ＢＵＰ１２７がＶＴＳＴＴ＿ＶＯＢＳ１２６の後に記録される。同時に、次のＶＴＳとなるＶＴＳ＃２（１１３）のＶＴＳＩ１２４用の領域が確保され、パディングで埋められる。
【００４５】
その後、ＶＴＳ＃１（１１２）のＶＴＳＩ１２４用のパディング領域に実際のＶＴＳＩ１２４とＴＭＰ＿ＶＭＧＩを記録し、図９（ｃ）に示す状態となる。インクリメンタル方式とは違い、ＴＭＰ＿ＶＭＧＩの記録位置は固定されており、以降、ＴＭＰ＿ＶＭＧＩを更新することによって中間状態でのデータ管理をしている。以下、同様に残りのＶＴＳ１１３〜１１４が記録されていく。
【００４６】
各ＶＴＳ１１２〜１１４の記録が終了し、ファイナライズの直前の状態が図９（ｄ）に示す状態である。ファイナライズを実行すると、ＴＭＰ＿ＶＭＧＩの情報をもとにＶＭＧＩ１２１が作成される。さらに、ＶＭＧＩ＿ＢＵＰ１２３や必要ならばＶＭＧＭ＿ＶＯＢＳ１２２と合わせてＶＭＧ１１１として、ファイルシステムとともにパディング領域に記録されて図９（ｆ）に示す状態となる。
【００４７】
このように、ディスク内のコンテンツをすべて管理するＶＭＧＩ１２１はファイナライズ時に記録されているのに対し、各ＶＴＳ１１２〜１１４内のコンテンツを管理するＶＴＳＩ１２４はタイトルクローズ時に記録されている。
【００４８】
図１０は、本実施形態におけるデジタルビデオカメラの機能構成例を示すブロック図である。
図１０において、１００１は撮像部であり、１００２はマイクロフォンである。１００３は記録系回路であり、撮像部１００１及びマイクロフォン１００２より得られた画像データ及び音声データを圧縮、符号化する。
【００４９】
１００４は記録再生部であり、ＵＤＦなど予め決められたファイルシステムに従って光ディスク１００５に対するデータの書き込み、読み出しを行う。即ち、記録再生部１００４は、記録系回路１００３から出力されたデータを所定の形式にフォーマット化し、ファイルデータとして光ディスク１００５に対して記録再生する。１０１２はコンテンツの再生編集を行う編集系回路である。１００６は記録再生部１００４からデータファイルを再生する再生系回路である。
【００５０】
１００７は画像データ出力端子であり、１００８は音声データ出力端子である。１００９は撮像部１００１及び再生系回路１００６から出力される画像データに係る画像を表示するＬＣＤである。１０１０はデジタルビデオカメラ１０００の動作を制御するシステムコントロール部（以下シスコン）である。１０１１は電源スイッチ、記録トリガ、再生スイッチ、停止スイッチあるいは再生リストの編集スイッチなどを含む操作部である。
【００５１】
次に、通常の記録モードにおける動作について説明する。
操作部１０１１により動画撮影モードがセットされ、操作部１０１１に含まれる記録トリガにより記録開始が指示されると、シスコン１０１０は記録系回路１００３を制御して記録を開始する。記録系回路１００３は、撮像部１００１及びマイクロフォン１００２より得られた画像データ及び音声データを符号化し、所定の形式にして記録再生部１００４に出力する。記録再生部１００４は所定のファイル形式に従うヘッダなどの付加情報を付加して記録系回路１００３から出力されるデータ列をフォーマット化し、光ディスク１００５に対して記録する。
【００５２】
また、操作部１００１により静止画撮影モードがセットされ、操作部１０１１に含まれる記録トリガにより静止画撮影が指示されると、シスコン１０１０は記録系回路１００３を制御して記録を開始する。記録系回路１００３は撮像部１００１より得られた画像データを符号化し、所定の形式にて記録再生部１００４に出力する。記録再生部１００４は所定のファイル形式に従うヘッダなどの付加情報を付加して記録系回路１００３から出力されるデータ列をフォーマット化し、光ディスク１００５に対して記録する。
【００５３】
図１１は、本実施形態における記録系回路１００３及びその周辺回路の要部構成例を示すブロック図である。
図１１において、撮像部１００１から画像データが画像信号処理部１１０１に出力される。画像信号処理部１１０１は、撮像部１００１から入力された画像データに対して符号化フォーマットに従うサブサンプルなどの処理を施し、画像データ符号化部１１０２に出力する。
【００５４】
画像データ符号化部１１０２は、画像信号処理部１１０１から入力された画像データをＭＰＥＧ２あるいはＪＰＥＧの規格に従って符号化し、データ符号化処理部１１０６に出力する。また、画像データ符号化部１１０２は、一つのデータファイルの代表画像を示すサムネイル画像データを生成し、データ符号化処理部１１０６に出力する。
【００５５】
また、マイクロフォン１００２から音声データが音声信号処理部１１０３に出力される。音声信号処理部１１０３は、マイクロフォン１００２から入力された音声データをデジタルデータに変換し、更に、ノイズ抑圧や増幅等の処理を施し、音声データ符号化部１１０４に出力する。音声データ符号化部１１０４は音声信号処理部１１０３から入力された音声データをＭＰＥＧ２の規格に従って符号化し、データ符号化処理部１１０６に出力する。
【００５６】
データ符号化処理部１１０６は符号化された画像データと音声データとを、ＭＰＥＧ２あるいはＪＰＥＧのトランスポートストリームの形式に変換し、記録再生部１００４に出力する。
【００５７】
また、メタデータ生成部１１０５は、撮影日時やＦ値などの撮影情報を示すメタデータを生成し、データ符号化処理部１１０６に出力する。データ符号化処理部１１０６は、これらのメタデータを画像、音声データのファイルのヘッダあるいはフッタに記録するよう配置して、記録再生部１００４に出力する。メニュー画面作成部１１０７は、一つのデータファイルの代表画像を示すサムネイル画像を一覧表示したメニュー画面の画像データを必要に応じて作成し、データ符号化処理部１１０６に出力する。
【００５８】
本実施形態のデジタルビデオカメラ１０００においては、記録開始のトリガから記録停止のトリガの間に撮影して、入力された画像データ及び音声データを一つのファイルとして記録する。そして、データ符号化処理部１１０６はメタデータ生成部１１０５から入力されたメタデータを各ファイルのヘッダあるいはフッタに格納する。なお、ヘッダにはその他、ファイル名なども記録される。
【００５９】
次に、通常の再生モードの動作について説明する。
操作部１０１１により再生モードがセットされると、シスコン１０１０は再生系回路１００６を制御して光ディスク１００５に記録されているデータファイルの先頭画面をデコードし、サムネイル画像データを生成してサムネイル画像をＬＣＤ１００９に表示する。
【００６０】
次に、ユーザによりＬＣＤ１００９に表示されたサムネイルが確認され、操作部１０１１により再生を希望するファイルが選択される。シスコン１０１０は再生すべきファイルが指定されると、再生系回路１００６を制御して再生中のファイルに関するメタデータの情報をＬＣＤ１００９に表示する。
【００６１】
再生系回路１００６は記録再生部１００４より指定されたファイルを再生する。そして、そのファイル内の画像データ及び音声データを復号して、画像データ出力端子１００７及び音声データ出力端子１００８から出力するとともに、再生された画像をＬＣＤ１００９に表示する。
【００６２】
図１２は、本実施形態における再生系回路１００６及びその周辺回路の機能構成例を示すブロック図である。
図１２において、シスコン１０１０から再生命令が再生解析部１２０１に伝えられると、再生解析部１２０１は再生リストや再生の種類を解析する。記録再生部１００４により再生されたデータはデータ復号処理部１２０２に出力される。データ復号処理部１２０２は、再生されたデータ列より画像データ及び音声データを検出し、更に、ファイルのヘッダ、フッタよりメタデータを検出する。そして、画像データを画像データ復号部１２０３に出力し、音声データを音声データ復号部１２０４に出力する。
【００６３】
画像データ復号部１２０３は、データ復号処理部１２０２から出力された画像データを復号し、画像出力部１２０５に出力する。画像出力部１２０５は復号された画像データを外部モニタやその他外部機器にて処理するのに適した形式に変換し、画像データ出力端子１００７またはＬＣＤ１００９に出力する。
【００６４】
音声データ符号部１２０４は、データ復号処理部１２０２から出力された音声データを復号し、音声出力部１２０６に出力する。音声出力部１２０６は復号された音声データを外部機器にて処理するのに適した形式に変換し、音声データ出力端子１００８に出力する。
【００６５】
次に、本実施形態によるＤＶＤ−Ｖｉｄｅｏ規格におけるコンテンツ再生リスト編集機能について説明する。
操作部１０１１よりファイナライズ実行命令がシステムコントロール部１０１０に伝えられると、システムコントロール部１０１０は再生リストの編集を実行するか否かを選択させる画面をＬＣＤ１００９に表示させる。ユーザにより再生リストが編集された場合、編集系回路１０１２は、編集結果をもとに再生管理情報を作成し、記録系回路１００３によって光ディスク１００５に記録される。
【００６６】
次に、本実施形態でのＤＶＤ−Ｖｉｄｅｏ規格における再生リスト編集機能について説明する。
前述したようにＶＭＧＩ１２１は、光ディスク１０１内の全データを管理していており、各タイトルへの参照先を保持している。一方、ＶＴＳＩ１２４はそれが属するＶＴＳ内のデータを管理しており、同一ＶＴＳ内のチャプタへの参照先を保持している。
【００６７】
動画像コンテンツの再生順序は、ＶＭＧＩ１２１や各ＶＴＳＩ１２４が管理しているＰＧＣＩにより決定付けられる。つまり、ＶＭＧＩ１２１はタイトル単位での再生リストを保持しており、ＶＴＳＩ１２４はチャプタ単位での再生リスト保持している。本実施形態では、ＶＭＧＩ１２１が光ディスク１０１のファイナライズ時に作成・記録されることに着目し、ＶＭＧＩ１２１を作成する際にユーザに再生リストを編集する手段を提供する。そして、タイトル単位での再生順序の変更及びタイトル単位でのコンテンツ削除などの編集を可能とする。
【００６８】
図１３は、本実施形態におけるタイトル再生リスト編集の処理手順の一例を示すフローチャートである。
まず、光ディスク１００５が挿入されると、記録再生部１００４は、ＴＭＰ＿ＶＭＧＩを読み出し、光ディスク１００５内の動画像コンテンツのタイトル構成を取得する（ステップＳ１３０１）。
【００６９】
次に、ファイナライズ実行処理の開始を検知する（ステップＳ１３０２）。そして、編集系回路１０１２は、ユーザに再生リスト編集を実行するか否かを問い合わせて、再生リスト編集を実行するか否かを判定する（ステップＳ１３０３）。この判定の結果、再生リスト編集を実行しない場合は、ステップＳ１３１４に進む。一方、ステップＳ１３０３の判定の結果、再生リスト編集を実行する場合は、編集画面を表示する（ステップＳ１３０４）。編集の内容としては、タイトルの並べ替え、タイトルの削除、タイトルの複製などが挙げられる。
【００７０】
次に、編集内容の中からユーザによりタイトルの並べ替えが選択されたか否かを判定する（ステップＳ１３０５）。この判定の結果、タイトルの並べ替えが選択された場合は、編集系回路１０１２によりタイトル並べ替え処理を行う（ステップＳ１３０６）。一方、ステップＳ１３０５の判定の結果、タイトルの並べ替えが選択されなかった場合は、次に、編集内容の中からユーザによりタイトルの削除が選択されたか否かを判定する（ステップＳ１３０７）。この判定の結果、タイトルの削除が選択された場合は、編集系回路１０１２によりタイトルの削除処理を行う（ステップＳ１３０８）。
【００７１】
一方、ステップＳ１３０７の判定の結果、タイトルの削除が選択されなかった場合は、次に、編集内容の中からユーザによりタイトルの複製が選択されたか否かを判定する（ステップＳ１３０９）。この判定の結果、タイトルの複製が選択された場合は、編集系回路１０１２によりタイトルの複製処理を行う（ステップＳ１３１０）。一方、ステップＳ１３０９の判定の結果、タイトルの複製が選択されなかった場合は、そのままステップＳ１３１１に進む。
【００７２】
その後、編集結果をプレビュー表示するか否かを判定する（ステップＳ１３１１）。この判定の結果、プレビュー表示する場合は、プレビュー表示を実行させる（ステップＳ１３１２）。一方、ステップＳ１３１１の判定の結果、プレビュー表示しない場合は、ステップＳ１３１３に進む。
【００７３】
次に、再生リストの編集が終了したか否かを判定する（ステップＳ１３１３）。この判定の結果、終了していない場合は、ステップＳ１３０４に戻る、一方、ステップＳ１３１３の判定の結果、終了した場合は、メニュー画面作成部１１０７は、編集結果に基づきメニュー画面を作成するか否かを判定する（ステップＳ１３１４）。この判定の結果、作成する場合は、再生リスト順にサムネイルが一覧表示されるようなメニュー画面を作成する（ステップＳ１３１５）。具体的には、ＶＭＧＭ＿ＶＯＢＳ１２２がこの処理により作成される。
【００７４】
一方、ステップＳ１３１４の判定の結果、メニュー画面を作成しない場合は、そのままステップＳ１３１６に進む。次に、記録系回路１００３は、タイトルの再生順が記述されたＶＭＧＭ＿ＰＧＣＩ＿ＵＴを含むＶＭＧＩ１２１を作成する（ステップＳ１３１６）。そして、ファイナライズ処理（ファイルシステムやリードイン、リードアウト、必要ならばダミーデータなどの書き込み）を実行して（ステップＳ１３１７）、ＤＶＤ−Ｖｉｄｅｏ規格に準拠したディスクを作成して処理を終了する。
【００７５】
図１４は、ＶＭＧＩ１２１とＶＴＳＩ１２４とが保持しているＰＧＣの内容を簡易的に示した例である。
図１４においては、ＶＴＳ＃１〜ＶＴＳ＃３まで記録し、各ＶＴＳはＶＴＳ＃１が３つ、ＶＴＳ＃２が３つ、ＶＴＳ＃３が２つのチャプタまで存在するものとし、再生リストを編集せずにファイナライズした状態とする。以下、このディスクをプレイヤーで再生した際の再生経路をＰＧＣの内容とともに説明する。
【００７６】
ディスクが挿入されると、まずＦＰ＿ＰＧＣ１４０１が読み出され、コマンド１「ＶＭＧＭ＿ＰＧＣ  ＬＵ＃１へジャンプ」を実行する。次に、ＶＭＧＭ＿ＰＧＣ  ＬＵ＃１（１４０２）が読み出され、変数ｇｐｒｍ（０）、ｇｐｒｍ（１）に初期値をセットする。ここで、変数ｇｐｒｍ（０）は再生すべきタイトルを指定するための変数であり、ｇｐｒｍ（１）はチャプタ番号をセットするために用意された変数である。
【００７７】
続いて、ＶＭＧＭ＿ＰＧＣ  ＬＵ＃２（１４０３）へジャンプし、ここでメニュー画面が表示される。メニュー画面にはチャプタのサムネイル（代表画像）一覧が表示されており、各サムネイルに対して値が割当てられており、サムネイルを選択した際のコマンドによってｇｐｒｍ（０）、ｇｐｒｍ（１）にセットされる。
【００７８】
図１８は、本実施形態におけるメニュー画面の一例を示す図である。
ユーザは十字キーなどの入力手段により再生させたい映像を選択することができる。また、各サムネイルの下の数式は、サムネイルを選択した際に実行されるコマンドを示している。ユーザが選択したサムネイルに従い、変数ｇｐｒｍ（０）、ｇｐｒｍ（１）に各サムネイルに割当てられた数値がセットされる。ここでは、タイトル２のチャプタ２（図１８の２−２（ｇｐｒｍ（０）＝２、ｇｐｒｍ（１）＝２））を選択したとする。
【００７９】
タイトル２のチャプタ２が選択されると、ＶＭＧＭ＿ＰＧＣ  ＬＵ＃３（１４０４）にジャンプし、ｇｐｒｍ（０）の値をもとにプリコマンド１〜４を実行し、各タイトルのＰＧＣ（ＶＴＳ＿ＰＧＣＩ）が読み出される。そして、ｇｐｒｍ（０）＝２なので、プリコマンド２が実行され、ＶＴＳ＿ＰＧＣＩ＃２（１４０６）へジャンプする。
【００８０】
ＶＴＳ＿ＰＧＣＩ＃２（１４０６）では、ｇｐｒｍ（１）の値に従って、プリコマンド１〜４のいずれかが実行される。ここでは、ｇｐｒｍ（２）＝２なので、プリコマンド２が実行されると、タイトル２のチャプタ２が属するＰＧＣ番号とＰＧ番号を基に、ＶＴＳのＶＴＳＩ＿ＰＧＣＩＴのＰＧＣ＿ＰＧＭＡＰにおいて開始ＰＧ番号に対応する開始セル番号が取得される。そして、この開始セル番号に示されるセルのＶＯＢ＿ＩＤ番号とセルＩＤ番号とが、ＶＴＳＩ＿ＰＧＣＩＴのＣ＿ＰＯＳＩＴから取得され、再生が開始される。
【００８１】
タイトル２の再生が終わると、ポストコマンド１を実行し、ｇｐｒｍ（０）に１を加え（次のリスト番号を指定）、ｇｐｒｍ（１）を１にセット（チャプタの先頭を指定）する。その後、ポストコマンド２を実行し、ＶＭＧＭ＿ＰＧＣに制御を戻し、ＶＴＳ＿ＰＧＣＩの実行を終了する。
【００８２】
以下、同様にタイトル３の内容を再生し、タイトル３のチャプタ２の再生が終了すると、ＶＭＧＭ＿ＰＧＣ  ＬＵ＃３（１４０４）のプリコマンド４に従い、再びＶＭＧＭ＿ＰＧＣ  ＬＵ＃１（１４０２）を実行することになる。なお、図１４に示したＰＧＣは再生リストの流れを簡易的に示した例であり、必ずしもこのようなＰＧＣになっているとは限らない。
【００８３】
本実施形態によるタイトル再生リスト編集機能は、図１４で示したＶＭＧＭ＿ＰＧＣの内容を、ユーザの所望する再生順に再生されるように作成し、それを光ディスク１００５に記録することで実現させるものである。例えば、タイトルの再生順をタイトル１→タイトル３→タイトル２と変更する場合は、ＶＭＧＭ＿ＰＧＣ  ＬＵ＃３（１４０４）の内容を図１５に示すように変更する。
【００８４】
図１５においては、コマンドの内容を変更、つまりＶＴＳ＿ＰＧＣＩへのジャンプ先を入れ替えることにより、再生順を変更している。図１９は、並べ替え編集後のファイナライズにより作成されるメニュー画面の例である。図１９には便宜上、ｇｐｒｍ（０）、ｇｐｒｍ（１）にセットされる値やタイトル／チャプタ番号も示している。
【００８５】
また、タイトル削除の場合は、削除したいタイトルのＶＴＳ＿ＰＧＣＩへのジャンプコマンドを削除する。図１６は、タイトル２を削除した場合の例である。さらに、図２０は、タイトル削除後のファイナライズにより作成されるメニュー画面の例である。
【００８６】
一方、同じタイトルを複数回再生する場合は、図１７に示すようなＰＧＣを作成する。タイトル１→タイトル２→タイトル３→タイトル１という順序で、タイトル１を２回再生している。なお、図２１は、編集後のファイナライズにより作成されるメニュー画面の例である。
【００８７】
本実施形態のタイトル再生リスト編集における編集画面について説明する。本実施形態では、タイトル毎の編集を行うため、タイトル毎にチャプタを分けることなくチャプタを一覧表示させているような再生画面では、ユーザはどの単位で編集が可能なのか把握しにくい。デジタルカメラのようにアスペクト比や画面解像度、記録レートの変更などカメラ設定を変えることでタイトルが分割されてしまうような機器では、特にタイトルを認識しにくい。したがって、ユーザに直感的に編集可能な単位を認識させる必要がある。
【００８８】
図２２及び図２３は、編集モードにおけるサムネイル表示について示したものである。図２２では、同じタイトル内のチャプタを枠で囲って表示しており、図２３では、タイトルの先頭チャプタのサムネイルだけを表示している。なお、選択中のタイトルは太枠で囲っている。
【００８９】
図２４は、図２２においてカメラの操作キーでタイトル１が選択された際に表示される編集画面の一例を示す図である。
タイトル１が選択されると、タイトル１に対してどの編集（移動、削除、コピーなど）を行うかの選択画面が表示される。そして、それぞれの編集内容に対応した方法で編集することになる。編集が完了したらメニューを作成するか否かを問い合わせ、その後、ＰＧＣが作成されることになる。
【００９０】
本実施形態では、タイトル単位で再生リストの編集を行うものである。タイトルは通常、９９チャプタを超えたとき、アスペクト比や画面解像度、記録モードの変更を行ったとき、ディスクをイジェクトしたとき、日付が変わったときなどに分割される。タイトル単位で編集を行うということを鑑みると、ユーザにより意図的にタイトルを分割できるとさらに有効である。したがって、ユーザが任意にタイトルを分割できるような機能（例えばボタンなど）を操作部１０１１に設けてもよい。
【００９１】
また、本実施形態では、光ディスク１００５を記録媒体として用いているが、それに限定するものではない。ファイナライズ処理によって再生リストを作成・記録する手順を有する記録装置であればこの発明を適用することができる。また、本発明は、実施形態で説明した処理手順を備えた記録装置のみでなく、一連の手段を有する方法として捉えてもよい。なお、本発明は、カメラ部を備えていない単なる記録装置に適用することも可能であることは言うまでもない。また、本実施形態に記載されている構成要素はあくまでも例示であり、この発明の範囲をそれらのみに限定する趣旨のものではない。
【００９２】
（本発明に係る他の実施形態）
前述した本発明の実施形態における記録装置を構成する各手段、並びに記録方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００９３】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００９４】
なお、本発明は、前述した実施形態の機能を実現するソフトウェアのプログラム（実施形態では図１３に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００９５】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００９６】
その場合、プログラムの機能を有していれば、オブジェクトコード、インタプリタにより実行されるプログラム、ＯＳに供給するスクリプトデータ等の形態であってもよい。
【００９７】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００９８】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００９９】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１００】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１０１】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【０１０２】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１０３】
【図１】記録媒体に記録されるデータ構造の一例を示す図である。
【図２】記録媒体に記録されるコンテンツのデータ構造の一例を示す図である。
【図３】ＶＭＧＩのデータ構造の一例を示す図である。
【図４】ＶＴＳＩのデータ構造の一例を示す図である。
【図５】タイトルとチャプタとの関係を示す図である。
【図６】ＰＧＣＩのデータ構造の一例を示す図である。
【図７】ＰＧＣＩとＶＯＢＳとの関係を示す図である。
【図８】インクリメンタルライト方式による記録手順の一例を示す図である。
【図９】リストリクテッドオーバーライト方式による記録手順の一例を示す図である。
【図１０】本発明の実施形態におけるデジタルビデオカメラの機能構成例を示すブロック図である。
【図１１】本発明の実施形態における記録系回路及びその周辺回路の機能構成例を示すブロック図である。
【図１２】本発明の実施形態における再生系回路及びその周辺回路の機能構成例を示すブロック図である。
【図１３】本発明の実施形態におけるタイトル再生リスト編集の処理手順の一例を示すフローチャートである。
【図１４】本発明の実施形態におけるＶＭＧＩとＶＴＳＩとが保持しているＰＧＣＩコマンド内容の一部の例を示す図である。
【図１５】本発明の実施形態におけるタイトルを並べ替えた場合のＰＧＣＩコマンドの一例を示す図である。
【図１６】本発明の実施形態におけるタイトル削除した場合のＰＧＣＩコマンドの一例を示す図である。
【図１７】本発明の実施形態におけるタイトルコピーした場合のＰＧＣＩコマンドの一例を示すである。
【図１８】本発明の実施形態におけるデジタルビデオカメラに表示するメニュー画面の一例を示す図である。
【図１９】本発明の実施形態におけるタイトル並び変え後に作成されるメニュー画面の一例を示す図である。
【図２０】本発明の実施形態におけるタイトル削除後に作成されるメニュー画面の一例を示す図である。
【図２１】本発明の実施形態におけるタイトルコピー後に作成されるメニュー画面の一例を示す図である。
【図２２】本発明の実施形態における再生リスト編集画面の代表画像の表示例を示す図である。
【図２３】本発明の実施形態における再生リスト編集画面の代表画像の表示例を示す図である。
【図２４】本発明の実施形態におけるタイトル編集モードの画面の一例を示す図である。
【符号の説明】
【０１０４】
１０００  デジタルビデオカメラ
１００１  撮像部
１００２  マイクロフォン
１００３  記録系回路
１００４  記録再生部
１００５  光ディスク
１００６  再生系回路
１００７  画像データ出力端子
１００８  音声データ出力端子
１００９  ＬＣＤ
１０１０  システムコントロール部（シスコン）
１０１１  操作部
１０１２  編集系回路
１１０１  画像信号処理部
１１０２  画像データ符号化部
１１０３  音声信号処理部
１１０４  音声データ符号化部
１１０５  メタデータ生成部
１１０６  データ符号化処理部
１１０７  メニュー画面作成部
１２０１  再生解析部
１２０２  データ復号処理部
１２０３  画像データ復号部
１２０４  音声データ復号部
１２０５  画像出力部
１２０６  音声出力部
【図１】
2008010031.tif 000003
【図２】
2008010031.tif 000004
【図３】
2008010031.tif 000005
【図４】
2008010031.tif 000006
【図５】
2008010031.tif 000007
【図６】
2008010031.tif 000008
【図７】
2008010031.tif 000009
【図８】
2008010031.tif 000010
【図９】
2008010031.tif 000011
【図１０】
2008010031.tif 000012
【図１１】
2008010031.tif 000013
【図１２】
2008010031.tif 000014
【図１３】
2008010031.tif 000015
【図１４】
2008010031.tif 000016
【図１５】
2008010031.tif 000017
【図１６】
2008010031.tif 000018
【図１７】
2008010031.tif 000019
【図１８】
2008010031.tif 000020
【図１９】
2008010031.tif 000021
【図２０】
2008010031.tif 000022
【図２１】
2008010031.tif 000023
【図２２】
2008010031.tif 000024
【図２３】
2008010031.tif 000025
【図２４】
2008010031.tif 000026